(57)【特許請求の範囲】
【請求項１】
油溶性皮膚収斂剤、エモリエント剤および固定化剤を含有する吸収性物品用ローション剤であって、
油溶性皮膚収斂剤がハイビスカスエキスであり、
エモリエント剤がヤシ油脂肪酸トリグリセリドであり、
固定化剤がステアリル酸モノグリセリドであることを特徴とする、
吸収性物品用ローション剤。
【請求項２】
請求項１に記載のローション剤を含有する吸収性物品。
【請求項３】
ローション剤が吸収性物品の表面に塗布されてなる請求項２に記載の吸収性物品。
【請求項４】
請求項１に記載のローション剤が塗布されてなる吸収性物品用表面シート。
【発明の詳細な説明】
【０００１】
【発明の属する技術分野】
本発明は、オムツ、生理用ナプキンなどの吸収性物品を着用するときに、発生する皮膚炎（かぶれ）を低減することができる吸収性物品、およびそのために吸収性物品に含有させるローション剤に関する。さらに詳細には、オムツや生理用ナプキンなどの吸収性物品を着用するときに、大便、尿、経血などの体液等による化学的刺激、および肌が吸収性物品の表面材により摩擦されることによる物理的刺激によって接触皮膚炎（かぶれ）が生じるのを防止することのできる吸収性物品、およびそのために吸収性物品に含有させるローション剤に関する。
【０００２】
【従来の技術】
紙オムツ、生理用ナプキンなどの吸収性物品を着用するときには、大便、尿、経血などの体液が皮膚に付着すること、あるいは吸収性物品の表面の特性を向上させるために用いられる界面活性剤などの化学物質が皮膚を刺激することによる皮膚炎、および肌と吸収性物品の表面材が触れ肌が摩擦されることによる物理的刺激により接触皮膚炎が生じるというトラブルの発生が問題になる。
また、このような化学的刺激要因と物理的刺激要因とが相乗作用することにより、皮膚への刺激が増大し、皮膚の膨潤を伴う結果、さらに吸収性物品の表面材と皮膚との摩擦係数が増加するという問題が生じてくる。
【０００３】
このような接触皮膚炎（かぶれ）を防止するためには、吸収性物品を取り替えるときに付着した体液をよく拭き取り、皮膚を清潔に保つことが大切である。しかし、体液が付着して吸収性物品を取り替えるまでの時間に起こる体液との接触を完全に回避することはできないし、体液が付着する時間を短くするために吸収性物品を頻繁に取り替えようとしても、限界がある。
【０００４】
さらにまた、このような接触皮膚炎を防止するために、乳幼児などの装着者の皮膚にクリーム、オイル等を塗布することも行われている。オムツ等を交換する際、装着者の臀部、肛門部などにクリーム、オイル等を塗布することは可能ではあるが、オムツを取り替えるたびに塗布することは煩わしいし、クリーム等を塗布する介護者の手を汚し、また、乳幼児や高齢者等の皮膚抵抗性の低い装着者に対しては、クリーム等を塗布する介護者の手指を介して細菌などに感染してしまうという衛生面の問題が発生することも考えられる。
【０００５】
そこで、吸収性物品の表面にスキンケア物質を塗布することにより、これらの問題点を解決しようとする試みがなされるようになった。そのような試みの一つとして、特開平２−１２６５号公報には、失禁者のための使い捨て吸収性物品にｐＨ調整剤を存在させる方法が開示されている。この方法は、オムツかぶれの原因が、排泄物からの細菌によって、あるいは酵素と尿とが接触することによってアンモニアを発生し、これが皮膚のｐＨを高めることにあることを見出し開発されたものである。しかしながら、ｐＨ調整剤によるときには、アンモニア以外の要因によるかぶれを防止することはできない。
【０００６】
さらに、特開平３−２６８７５１号公報には、吸収性基材にポリフェノールを保持させた紙オムツが開示されている。これは、タンニン、没食子酸などのポリフェノールが水溶性で皮膚の収斂作用を有することを利用して、オムツかぶれを防止しようとするものである。しかし、この発明においては、水溶性のポリフェノールを水溶液として吸収性基材に保持させるために、乾燥工程が不可欠でありコストアップにつながり、また、乾燥が不十分であれば、製品の水分率が高くなり装着時のベタツキなど使用感の悪化や、製品中で微生物が繁殖するために微生物による皮膚刺激・悪臭発生が懸念される。さらにポリフェノールが水溶性であるために、吸収性物品の表面シートに含有させても、汗や尿等の水分によって吸収芯側に移行したり、汗や尿などで流されてしまい、肌の収斂効果はあまり期待できない。
【０００７】
さらにまた、特表平１０−５０９８９５号公報、特表平１０−５０９８９６号公報、特表平１１−５１００８２号公報、および特表平１１−５１０４１６号公報には、潤滑性を向上させるためのエモリエント剤、およびエモリエント剤を吸収性物品の表面に不動化するための固定化剤とからなるローションが付けられた使い捨て吸収性物品が開示されている。この吸収性物品は、エモリエント剤が吸収性物品装着時に体温により溶け、皮膚に付着するというものであり、エモリエント剤の皮膚への移行によって体液による刺激を低減でき、あるいは吸収性物品表面および皮膚の潤滑性向上に伴う物理的刺激から皮膚を守るという効果が期待できる。
しかしながら、本発明者らが試験したところ、この特表平１０−５０９８９５号公報、特表平１０−５０９８９６号公報、特表平１１−５１００８２号公報、および特表平１１−５１０４１６号公報に開示される吸収性物品によっても、なお、着用者のかぶれ防止には十分ではないことが分かった。
【０００８】
【発明が解決しようとする課題】
本発明は、上記のような従来技術の問題点を解決することを課題とする。すなわち、オムツ、生理用ナプキンなどの吸収性物品による着用者のかぶれを防止できる吸収性物品を提供すること、およびそのような吸収性物品を得るために吸収性物品に含有させるローション剤を提供することを課題とする。
より詳細には、吸収性物品に含有させることにより、体液あるいは界面活性剤などによる化学的刺激、および肌と吸収性物品の表面との摩擦による物理的刺激による接触皮膚炎（かぶれ）を防止することができるローション剤を提供すること、および該ローション剤を含有させかぶれを防止する吸収性物品およびその表面材を提供することを課題とする。
【０００９】
【課題を解決するための手段】
本発明者らは、上記の課題を解決するために、鋭意研究した結果、ローション剤に油溶性のポリフェノールを含有させれば、前記課題を解決できることを見出し本発明に至った。より詳細には、本発明者らは、前記特開平３−２６８７５１号公報に開示される吸収性物品においては、水溶性ポリフェノールが水溶液として適用されるために種々の問題点が生じ得ることを見出して、水溶性ポリフェノールに代えて油溶性皮膚収斂剤を用いることに着想したものである。
【００１０】
すなわち、本発明は、吸収性物品に適用するローション剤に油溶性皮膚収斂剤を含有させることを特徴とする。
本発明において、油溶性皮膚収斂剤は、ポリフェノールであることが好ましい。
さらに、本発明では、油溶性皮膚収斂剤を油性のエモリエント剤及び／または固定化剤と組み合わせてローション剤に含有させることがさらに好ましい。
油溶性皮膚収斂剤を用いることで、皮膚収斂剤が汗や尿と共に流れ出てしまうという問題点が解消され、肌に対して有効に作用することができる。
さらに、油溶性の皮膚収斂剤を油性のエモリエント剤及び／または固定化剤と組み合わせて用いることで、水溶液を用いる場合のような乾燥工程が不要になり生産性向上につながり、ベタツキや微生物繁殖という問題も回避できる。
さらにまた、本発明は、このようなローション剤を含有させた吸収性物品及びその表面材にも関するものである。
【００１１】
より具体的には、本発明は、
（１）油溶性皮膚収斂剤を含有することを特徴とする吸収性物品用ローション剤、
（２）油溶性皮膚皮膚収斂剤が油溶性ポリフェノールであることを特徴とする上記（１）の吸収性物品用ローション剤。
（３）エモリエント剤及び／または固定化剤を含有する上記（１）または（２）の吸収性物品用ローション剤。
（４）エモリエント剤が２５℃で液体または半固形の油性物質である上記（１）〜（３）の吸収性物品用ローション剤。
（５）エモリエント剤がグリセリン脂肪酸エステルである上記（４）の吸収性物品用ローション剤。
（６）固定化剤が融点５０〜９０℃の油性物質であることを特徴とする上記（１）〜（５）の吸収性物品用ローション剤。
（７）固定化剤が、グリセリン脂肪酸エステルである上記（６）の吸収性物品用ローション剤。
（８）上記（１）〜（７）のいずれかに記載のローション剤を含有する吸収性物品。
（９）ローション剤が吸収性物品の表面に塗布されてなる上記（８）の吸収性物品。
（１０）上記（１）〜（７）のいずれかのローション剤が塗布されてなる吸収性物品用表面シート。
に関するものである。
【００１２】
【発明の実施の形態】
以下に、本発明を詳細に説明するが、本発明は、これに限定されるものではない。
本発明における吸収性物品には、紙オムツ、生理用ナプキン、おりものライナー、失禁パンツ、トレーニングパンツ、オムツホルダーなどが挙げられる。
本発明のローション剤は、これらの吸収性物品の表面あるいは内部に含有させるが、皮膚と接触する部分、例えば、トップシート（表面シート）、足周り（レッグ）ギャザー、サイドフラップ、ウエストギャザーなどに含有させるのが好ましく、特に、大便、尿が付着する機会の多い表面シート部に含有させるのが最も好ましい。
【００１３】
皮膚収斂剤は、油溶性であることが必要である。
水溶性皮膚収斂剤を水溶液にして吸収性物品に含有させようとすると、乾燥工程が不可欠でありコストアップにつながり、また、乾燥が不十分であれば、製品の水分率が高くなり装着時のベタツキなど使用感の悪化や、製品中で微生物が繁殖するために微生物による皮膚刺激・悪臭の発生の原因となる。さらに水溶性皮膚収斂剤を吸収性物品の表面シートに含有させても、汗や尿等の水分によって流れ出して吸収芯側に移行したり、汗や尿などで流されてしまい、肌の収斂効果はあまり期待できない。
油溶性の皮膚収斂剤は、収斂性を有するものなら合成・天然を問わないが、安全性や消費者の志向性から天然物の方が好ましい。
【００１４】
特に油溶性の皮膚収斂剤として油溶性ポリフェノールが好ましく、天然の油溶性ポリフェノールがさらに好ましい。天然の油溶性ポリフェノールとしては、オオバクエキス、オトギリソウエキス、オドリコソウエキス、カモミラエキス、ゴボウエキス、サルビアエキス、シナノキエキス、セイヨウボダイジュエキス、シラカバエキス、スギナエキス、セージエキス、サルビアエキス、テウチグルミエキス、ハイビスカスエキス、ビワ葉エキス、ボダイジュエキス、ホップエキス、マロニエエキス、ヨクイニンエキスが挙げられる。
これらの皮膚収斂剤は単独で使用しても良いし、混合物で使用しても良い。
【００１５】
本発明で、油溶性皮膚収斂剤は、油性のエモリエント剤及び／または固定化剤と組み合わせてローション剤に用いることができる。油溶性皮膚収斂剤を油性エモリエント剤及び／または固定化剤に溶解して吸収性物品に適用することによって乾燥工程が不要になり、汗や尿等ので流出するという不都合もない。
【００１６】
本発明で、エモリエント剤とは、皮膚を柔らかくし、緩和し、しなやかにし、被覆し、なめらかにし、加湿しまたは清潔にする機能を有する潤滑性向上物質のことをいう。エモリエント剤として好ましいのは、常温（２５℃）で液体又は半固形の油性成分である。
【００１７】
エモリエント剤として公知の物質（例えば、前記の特表平１０−５０９８９５号公報、特表平１０−５０９８９６号公報、特表平１１−５１００８２号公報、および特表平１１−５１０４１６号公報参照）は全て使用しうるが、有用な物質としては、石油系炭化水素、動植物性油脂、動植物性ロウ、脂肪酸エステル系化合物、アルキルエトキシレート、脂肪酸エステルエトキシレート、脂肪アルコール、ポリシロキサンが挙げられる。
【００１８】
例えば、植物油として、グレープシード、サフラワー、大豆油などの乾性油、ゴマ油、トウモロコシ油、綿実油、菜種油、ヒマワリ油などの半乾性油、アボガド油、アーモンド油、オリーブ油、サザンカ油、ツバキ油、パーシック油、ヒマシ油、落花生油などの不乾性油が挙げられ、好ましくは経時変化の少ない半乾性油又は不乾性油である。
植物脂としては、カカオ脂、パーム油、パーム核油、マカデミアンナッツ油、モクロウ、ヤシ油などが挙げられる。
植物性ロウとしては、カルナバロウ、キャンデリラロウ、ホホバ油等が挙げられる。
動物油脂としては、タートル油、ミンク油、卵黄油、牛脂、豚油、イワシ油、鮫肝油、ニシン油などが挙げられる。
動物性ロウとしては、鯨ロウ、ミツロウ、ラノリン等が挙げられる。
さらに、炭化水素系の化合物として、炭素数１４〜１５の炭酸ジアルキル、ワセリン、パラフィン、スクワラン、プリスタン、オゾケライト、セリシン、マイクロクリスタリンワックスが挙げられる。
これらの動植物性油脂、動植物性ロウ、あるいは炭化水素系化合物は、不飽和部分を水素添加した物質でも良い。
エモリエント剤はこれらの化合物単独でも良いし、混合物でも良い。
【００１９】
好まいのは、脂肪酸エステルで、グリセリン脂肪酸エステルがより好ましい。脂肪酸エステルは化粧品に一般的に使用されているものであり、安全性も高い。グリセリン脂肪酸エステルは、モノグリセリド、ジグリセリド、およびトリグリセリドのいずれでも良い。グリセリン脂肪酸エステルの脂肪酸の炭素数は２〜３５、好ましくは８〜２２である。炭素数が８以上であれば、常温（２５℃）で液体であり取り扱いやすくなる。炭素数が８〜２２であれば、融点が６０〜７０℃以下であり、吸収性物品の皮膚に接する面に使用して装着されるとき、装着中に体温により肌へ移行することができる。
【００２０】
特に好ましいグリセリン脂肪酸エステルは、ヤシ油脂肪酸トリグリセリドである。ヤシ油脂肪酸トリグリセリドは、人体に対する安全性が高く、副作用が少ない。また、トリグリセリドは、皮脂を構成する成分であり、皮脂は人体皮膚表面においてエモリエント効果を示す物質として知られていることからもトリグリセリドの選択が特に好ましい。
【００２１】
固定化剤は、油溶性の皮膚収斂剤及びエモリエント剤を吸収性物質の表面に止め不動化することができる物質であり、油、油脂に溶解性もしくは、分散性を示し、皮膚収斂剤及び／またはエモリエント剤と混合することにより、粘度が増加し、皮膚収斂剤及び／またはエモリエント剤を吸収性物品の表面に塗工することが可能となる物質である。
塗工が可能なら合成物質でも天然物質でも構わないが、安全性と消費者志向から天然物がより好ましい。
【００２２】
固定化剤は、融点５０〜９０℃を有し、２０℃における表面張力が２５〜４５dyn/cmであることが好ましい。
融点が５０℃以下の場合は、製品の保管・輸送時において高温になると油性ローション剤の固定化が不十分となり、また、装着中には油性ローションが皮膚と接する面から脱落してしまい、装着者の皮膚への付着量が低下するために好ましくない。また、融点が９０℃を超えると、固定化能は向上するが、装着中の皮膚への移行量が低下するため好ましくないし、さらに、固定化剤の軟化点が高くなるため、油性ローションの剛性が増加し装着者の皮膚に対し物理的な刺激となってしまうという問題点もでてくる。
皮膚収斂剤及び／またはエモリエント剤との相溶性より、表面張力は２５〜４５dyn/cm（２０℃）であることが好ましい。
【００２３】
固定化剤として、例えば前記の特表平１０−５０９８９５号公報、特表平１０−５０９８９６号公報、特表平１１−５１００８２号公報、および特表平１１−５１０４１６号公報に記載される物質は全て使用しうる。好ましい物質は、人体に対する安全性が高く、副作用が少ない脂肪酸エステル、パラフィンワックス、高級アルコール、エトキシ化アルコールであり、より好ましくは、融点５０〜９０℃を有するグリセリン脂肪酸エステル、炭素数１２〜２２の脂肪酸とデキストリンのエステル、パラフィンワックス、高級アルコールである。
【００２４】
グリセリン脂肪酸エステルは、モノグリセリド、ジグリセリド、トリグリセリドのいずれでもよいが、融点が５０〜９０℃であるラウリン酸ジグリセリド、ミスチリン酸トリグリセリド、ミスチリン酸ジグリセリド、ミスチリン酸モノグリセリド、パルミチン酸トリグリセリド、パルミチン酸ジグリセリド、パルミチン酸モノグリセリド、ステアリン酸グリセリド、ステアリン酸ジグリセリド、ステアリン酸モノグリセリドなどが挙げられる。特に好ましいのは、ヤシ油モノグリセリド及び／またはヤシ油ジグリセリドであるヤシ油部分グリセリドである。
【００２５】
好ましいパラフィンワックスは、炭素数１６〜４０で、融点４０〜９０℃、２０℃の比重０．８８〜０．９２のものである。
高級アルコールは、炭素数１４〜３２で、特に１６〜２２のアルコールであり、最も好ましいのはステアリルアルコールである。
これらの固定化剤は単独で用いても良いし、混合物で用いても良い。
【００２６】
本発明のローション剤は、皮膚収斂剤とエモリエント剤とからなっても良いし、皮膚収斂剤と固定化剤とから構成しても、あるいは、皮膚収斂剤とエモリエント剤と固定化剤とから構成しても良い。
【００２７】
本発明のローション剤には、皮膚収斂剤、エモリエント剤及び固定化剤以外に、油性ローション剤に溶解性、または分散性を示す酸化防止剤、抗炎症剤、抗菌剤、保湿剤、吸湿剤、ｐＨ調整剤などを含有させることもできる。これらの物質は、有機物質か無機物質、あるいは合成か天然かを問わない。
酸化防止剤としては、ビタミンＥなどの油溶性ビタミンやその誘導体、油溶性ローズマリーエキス、抗菌剤としては、油溶性甘草エキス、油溶性シラカバエキス、油溶性カロットエキス、保湿剤としては、油溶性アルニカエキス、油溶性プラセンタエキス、スクワランなどが用いられる。
【００２８】
上記のローション剤は、吸収性物品の表面に存在させさえすればよく、存在の形態はどのような形態でも良い。
（１）例えば、エモリエント剤と皮膚収斂剤と固定化剤とからなる３成分混合物が吸収性物品の表面に単一層で存在していても良い。その場合に、エモリエント剤と皮膚収斂剤：固定化剤の重量比は、５〜９５：９５〜５、好ましくは、３０〜７０：７０〜３０であり、吸収性物質の表面積あたりのローション剤の量は、０．５〜５０g/m2、好ましくは、１〜３０g/m2である。この際、皮膚収斂剤は、ローション剤全体の０．１％以上、好ましくは、０．５％以上である。ローション剤の量、及び皮膚収斂剤の比率がこれよりより少なければ、かぶれ予防に充分な収斂効果を得ることができず、これを超えて存在させても収斂効果は向上しないので不経済である。
【００２９】
（２）また、ローション剤は、吸収性物品の表面に多層で存在させても良い。
この場合、（ｉ）吸収性物品側に、エモリエント剤と固定化剤との２成分混合物を存在させ、その上の皮膚と接触する面にエモリエント剤と皮膚収斂剤と固定化剤との３成分混合物を存在させるか、あるいは（ii）吸収性物品側に、エモリエント剤と固定化剤との２成分混合物を存在させ、その上の皮膚と接触する面に皮膚収斂剤と固定化剤との２成分混合物を存在させるのが望ましい。
【００３０】
このように多層に存在させることで、皮膚と接触する面に皮膚収斂剤の配合量を増加させることができるし、エモリエント剤が皮膚に付着した老廃物をカバーする前に、皮膚収斂剤を皮膚に付着させることができるので、本発明の効果をより一層発揮することができる。さらに、皮膚収斂剤は高価であるために、少量で効果を発現させるためにも、皮膚に接触し易い面に多くの皮膚収斂剤を配合することのできるこれらの方法が好ましい。
【００３１】
（ｉ）および（ii）において、吸収性物品側の２成分混合物のエモリエント剤：固定化剤重量比は、５〜９５：９５〜５、好ましくは３０〜７０：７０〜３０であり、吸収性物質の表面積あたり０．２５〜２５g/m2、好ましくは、０．５〜１５g/m2が好ましい。
（ｉ）において、皮膚と接触する側の３成分混合物は、エモリエント剤と皮膚収斂剤：固定化剤の重量比が５〜９５：９５〜５、好ましくは３０〜７０：７０〜３０であり、吸収性物質の表面積あたりの量は、０．２５〜２５g/m2、好ましくは、０．５〜１５g/m2である。
（ii）において、皮膚と接触する側の２成分混合物は、皮膚収斂剤：固定化剤の重量比が５〜９５：９５〜５、好ましくは３０〜７０：７０〜３０であり、吸収性物質の表面積あたりの量は、０．２５〜２５g/m2、好ましくは、０．５〜１５g/m2である。
【００３２】
単層で存在させる（１）の場合においても、また多層で存在させる（２）の場合においても、いずれも吸収性物品の皮膚に接触させる全表面に対して、ローション剤の付着面積は、５〜９０％、好ましくは、１０〜７０％である。
【００３３】
吸収性物品の表面に、ローション剤を塗布する方法は、通常の塗工方法が採用できる。
液透過性の表面材に適用する場合は、特に塗工部分は、液透過性が低下することから、シート表面部において、親水部分と塗工部分とが共存する必要がある。
そのためには、ローション剤をパターン化して塗工することが好ましく、印刷技術の応用であるグラビア塗工、フレキソ塗工法が応用できる。さらに、感熱性接着剤塗工技術の応用による押出塗工法、スロット、スプレー塗工法を応用しても良い。これらの塗工方法によって、配合量を適宜調整して、多層に塗工することも可能である。
【００３４】
本発明のローション剤は、吸収性物品の皮膚と接する面に適用するが、通常は吸収性物品の表面シートに適用する。ローション剤を適用する基材は、限定されないが、通常液透過性を有するシート状物で、不織布、液透過性の開孔フィルム等である。
吸収性物品に使用される不織布は、１〜５ｄの繊維からなる１０〜５０g/m2の不織布である。不織布を構成する繊維は、ポリオレフィン、ポリエステルなどの合成繊維、レーヨンなどの半合成繊維、コットン、パルプ、シルク等の天然繊維のいずれでも良い。  使用できる開孔フィルムは、熱可塑性高分子からなるフィルムを押し出した後、熱針、エンボス、熱風等で開口した透液性の開孔フィルムである。開孔フィルムを構成する熱可塑性樹脂としては、ポリエチレン（密度０．８６〜１．１g/cm3）やポリプロピレン（密度０．８９〜１．２g/cm3）等を単独または多層、混合したものが使用できる。
液透過性を有するシート状物には、体液の透過性が必要であり、JISＬ1092（繊維製品の防水性試験法、耐水度試験Ａ法（低水圧法））による耐水圧は少なくとも、０〜３００mmH2Oが必要である。また、表面材から吸収体への水蒸気の流通、すなわち通気性が必要であり、JISＬ1906（一般長繊維不織布試験方法、通気性フラジール型法）による通気度が、少なくとも、５〜７００cm3/cm2/秒が必要である。
【００３５】
また、本発明のローション剤は吸収性物品のみでなく、創傷保護用シート、ティッシュペーパー、トイレットペーパーなどのスキンケア用ドライワイプス、ウェットティッシュなようなスキンケア用ウエットワイプスに適用して、それらの使用による接触皮膚炎（かぶれ）の防止をすることも可能である。ウエットワイプスに適用するときには、本発明のローション剤をワイプス表面に適用した後、水系薬液を含浸する。このようなウエットワイプスでは、シート表面に油性領域と水性領域とが存在するために、水性領域において水溶性の汚物を除去でき、水溶性の抗炎症剤による抗炎症作用が期待でき、拭き取ることにより皮膚表面に付着した油性ローションにより接触皮膚炎（かぶれ）の防止も可能となる。
【００３６】
以下に、本発明の実施例を記載するが、本発明は、これに限定されるものではない。
【実施例１】
エモリエント剤としてヤシ油脂肪酸トリグリセリド、固定化剤としてステアリル酸モノグリセリド、油溶性皮膚収斂剤としてハイビスカスエキスを、重量比が４９．８：４９．７：０．５になるように溶融混合してローション剤とした。
このローション剤を市販の使い捨てオムツ（ユニ・チャーム（株）製、ムーニーさらさらコットン）から取り外した表面材にストライプ状にパターン化して、１０g/m2になるように塗工した。
市販品の使い捨てオムツ（ユニ・チャーム（株）製、ムーニーさらさらコットン）の表面材を上記の表面材に取り替えてテストサンプルのオムツを作成した。
【００３７】
該オムツを外陰部に紅斑等が認められない健常な乳児２０名（２〜１８ヶ月）に装着し、該オムツを毎日、平均８枚交換しながら１週間連続装用した。オムツを装着した乳児は、通常の生活（食事、入浴、外出等）をした。
乳児の月齢は表１のとおりであった。
【表１】
0004596506.tif 000002
１週間後、オムツを外した直後に、表面材が当たる個所の皮膚の状態を熟練した判定者が目視にて観察した。２０名中２名にかぶれが見られたが、残りの１８名の皮膚状態に変化はなかった。
【００３８】
【実施例２】
ローション剤のヤシ油脂肪酸トリグリセリド：ステアリン酸モノグリセリド：皮膚収斂剤の重量比を４７.５：４７．５：５．０としてオムツ表面材に塗工した以外は、実施例１と同様に実施した。その結果、オムツかぶれが見られたのは０名であった。
【００３９】
【比較例１】
ローション剤に皮膚収斂剤を含有させず、ヤシ油脂肪酸トリグリセリド：ステアリン酸モノグリセリドの重量比を５０．０：５０．０にして、オムツ表面材に塗工した以外は、実施例１と同様に実施した。その結果、７名の乳児にオムツかぶれが見られた。
【００４０】
【比較例２】
ローション剤として、水溶性タンニン２０．０重量％と精製水８０．０重量％からなる水溶液をオムツ表面材に２．５％になるように噴霧し、６０℃で３時間乾燥した以外は、実施例１と同様に実施した。その結果、１６名の乳児にオムツかぶれが見られた。
た。
【００４１】
【比較例３】
精製水をオムツ表面材に２．５％になるように噴霧し、６０℃で３時間乾燥した以外は、実施例１と同様に実施した。その結果、１８名の乳児にオムツかぶれが見られた。
このサンプルにおいて、市販品より多くのオムツかぶれが見られたのは、塗布されているローション剤が水により流れ出して、オムツの性能が市販品より劣化した結果であると考えられる。
【００４２】
以上の実施例と比較例の結果を表２、３にまとめた。
【表２】
0004596506.tif 000003
【００４３】
【表３】
0004596506.tif 000004
上記の装着テストはベビー用オムツを用いて乳児に対して行ったが、実施の形態はこれに限定するものではなく、本発明は、ベビー用トレーニングパンツ／パッド、おねしょパンツ／パッド、大人用オムツ／パッド、生理用ナプキン、おりものシートなどのいずれの吸収性物品にも用いることができる。
【００４４】
【発明の効果】
本発明の皮膚収斂剤を含有するローション剤を吸収性物品の表面に塗布することで、吸収性物品を長時間装着しても、皮膚のかぶれも見られないという効果を奏することができた。